(57)【要約】【課題】  小型化が可能で電気特性に優れたカード用ソケット組立体を提供することを目的とする。【解決手段】カードの挿入方向で長さの異なる少なくとも二種のソケット１,２を有し、ソケット後部にカードとの接触のための端子が配列して設けられ、該端子の後端側がソケットの収容空間外に後方へ突出していると共にカードＣ１,Ｃ２の挿入方向に対して直角に屈曲されて下方へ略同一位置まで延びる接続部４，５を形成しているカード用ソケット組立体において、複数のソケット１，２は、前端が揃えられている状態でカード挿入方向に長さが小さい順に下段から重ねられており、長い上段側ソケットの後部下面と該上段側ソケットの直下に位置する短い下段側ソケットの後端面で形成される段状領域３に、該下段側ソケットの端子の接続部４，５の少なくとも一部が収められていることを特徴とするカード用ソケット組立体。【選択図】  図１
2006313666.tif 000002
【特許請求の範囲】
【請求項１】
挿入方向での長さが互に異なるカードを挿入するための収容空間が前端に開口して形成されるソケットを複数段をなすように重ねて一体化されたカード用ソケット組立体であって、複数のソケットはカードの挿入方向で長さの異なる少なくとも二種のソケットを有し、ソケット後部にカードとの接触のための端子が配列して設けられ、該端子の後端側がソケットの収容空間外に後方へ突出していると共にカードの挿入方向に対して直角に屈曲されて下方へ略同一位置まで延びる接続部を形成しているカード用ソケット組立体において、複数のソケットは、前端が揃えられている状態でカード挿入方向に長さが小さい順に下段から重ねられており、長い上段側ソケットの後部下面と該上段側ソケットの直下に位置する短い下段側ソケットの後端面で形成される段状領域に、該下段側ソケットの端子の接続部の少なくとも一部が収められていることを特徴とするカード用ソケット組立体。
【請求項２】
ソケット組立体は段状領域に少なくとも一部が収められるコネクタを有し、該コネクタはそのハウジングに複数のソケットの端子の接続部を支持する支持部が各ソケットの端子に対応して複数設けられていることとする請求項１に記載のカード用ソケット組立体。
【請求項３】
支持部は、各支持部に対応して下方に向け延びるようにコネクタのハウジングに設けられた壁部に形成され、各壁部の間には、隔離空間が形成されていることとする請求項２に記載のカード用ソケット組立体。
【請求項４】
上段側ソケットと下段側ソケットのそれぞれの端子の接続部の下方に向く部分同士の間隔は、両ソケットの後端同士の間隔に等しいこととする請求項１又は請求項２に記載のカード用ソケット組立体。
【請求項５】
ソケット組立体は、ソケットが二段に設けられ、両ソケットの端子の接続部はコネクタの対応壁部の外側面に設けられた支持部で支持していることとする請求項３に記載のカード用ソケット組立体。
【請求項６】
各ソケットの端子の接続部をそれぞれ支持するコネクタの支持部同士間に金属板が配設されていることとする請求項２、請求項３、請求項５のうちの一つに記載のカード用ソケット組立体。
【請求項７】
各支持部に対応して設けられたコネクタの壁部は、端子配列方向端部にて、壁部同士が側壁部で連結されていることとする請求項３又は請求項５に記載のカード用ソケット組立体。
【請求項８】
コネクタは、下方に突出する係合用柱状部を有し、該係合用柱状部が回路基板側コネクタの対応凹部に適合していることとする請求項２、請求項３、請求項４ないし請求項７のうちの一つに記載のカード用ソケット組立体。
【発明の詳細な説明】
【技術分野】
【０００１】
本発明はカード用ソケット組立体に関し、特に回路基板に取り付けられる組立体であって、ソケットが回路基板の面に平行に複数段設けられている組立体に関する。  
【背景技術】
【０００２】
現在、パソコンなどの電子機器の機能拡張のために着脱可能に装備されるカード状電子機器として、ＰＣカードと称されるＰＣＭＣＩＡ規格準拠のカードが広く普及している。一方、近年、情報処理の高速化や機器の小型化に伴って、上記ＰＣカードに比し小型で高速信号対応可能なエクスプレスカードの開発が進められている。
【０００３】
普及しているカードと新しく普及させるカードとが混在する時期は両方のカードの利用する可能性があるので、これに対応するために、カードを収容するソケットは、ＰＣカード用のソケットと小型のエクスプレスカード用ソケットを積み重ねて一体化したソケット組立体として選択的に使用可能とすることが好適である。  
【０００４】
かかるソケット組立体は電子機器の回路基板に取付けられて、ソケットに挿入されたカードと回路基板とを接続する。このような組立体としては、回路基板に面する下段にＰＣカード用ソケット、その上の上段に小型エクスプレスカード用のソケットを設けた二段型のものが市場に出まわっている。
【０００５】
これらの二つのソケットは、使用勝手のために、前端の開口が揃えて配置されている関係上、小型のエクスプレスカード用のソケットに比し、ＰＣカード用ソケットは、後端が長く延びている。両ソケットからは、カードと接触する端子がそれぞれ後方へ突出し、これが共に直角に屈曲されていて、回路基板への接続がなされる接続部を形成している。
【特許文献１】発見できず
【発明の開示】
【発明が解決しようとする課題】
【０００６】
しかしながら、上述した二段型のカード用ソケット組立体にあっては、機械的にも電気的にも改善の余地があった。
【０００７】
上述の従来のカード用ソケット組立体では、カードの挿入方向で長い寸法のＰＣカード用ソケットが下段に、すなわち、取付対象たる回路基板に直接に面して位置し、その上に短い寸法のエクスプレスカード用ソケットが位置しており、さらにカード挿入用開口は電子機器のパネルに対して同位置にあるので、上段のソケットの後端から延出する端子は下段のソケットの端子の外側を大きくまわるようにして延びるようになる。
【０００８】
これは、機械的には、上段のソケットの端子が長くなってしまい、上記カード挿入方向でのソケット組立体の寸法が大きくなることを意味する。この端子が長くなるということは、電気的には、エクスプレスカードが高速伝送を要求されるにも拘らず、伝送劣化が大きくなることを意味する。さらに、上記カード挿入方向の寸法を少しでも大きくなることを防止しようとすると、二つのソケットの端子の直角に屈曲された部分同士を接近させて位置づける必要があり、こうすると、端子においてカード相互間での電磁的影響を受けやすくなる結果となる。
【０００９】
本発明は、このような事情に鑑み、小型化を図りつつ、電気的特性を向上させることを可能とするカード用ソケット組立体を提供することを目的とする。
【課題を解決するための手段】
【００１０】
本発明に係るカード用ソケット組立体は、挿入方向での長さが互いに異なるカードを挿入するための収容空間が前端に開口して形成されるソケットを複数段をなすように重ねて一体化されたカード用ソケット組立体であって、複数のソケットはカードの挿入方向で長さの異なる少なくとも二種のソケットを有し、ソケット後部にカードとの接触のための端子が配列して設けられ、該端子の後端側がソケットの収容空間外に後方へ突出していると共にカードの挿入方向に対して直角に屈曲されて下方へ略同一位置まで延びる接続部を形成している。
【００１１】
かかるカード用ソケット組立体において、本発明では、複数のソケットは、前端が揃えられている状態でカード挿入方向に長さが小さい順に下段から重ねられており、長い上段側ソケットの後部下面と該上段側ソケットの直下に位置する短い下段側ソケットの後端面で形成される段状領域に、該下段側ソケットの端子の接続部の少なくとも一部が収められていることを特徴としている。
【００１２】
このような構成の本発明によると、必然的に生じる上記段状領域に下段側ソケットの端子の少なくとも一部が収められ、その結果、上段側ソケットの端子も後方への延出長が短くなる。したがって、ソケット組立体として、上記カード挿入方向の寸法が小さくなると共に、端子の接続部の伝送距離が短くなる。
【００１３】
本発明において、ソケット組立体は段状領域に少なくとも一部が収められるコネクタを有し、該コネクタはそのハウジングに複数のソケットの端子の接続部を支持する支持部が各ソケットの端子に対応して複数設けられているようにすることができる。こうすることにより、端子の接続部は上記コネクタの支持部によりしっかりと支持される。
【００１４】
上記支持部は、各支持部に対応して下方に向け延びるようにコネクタのハウジングに設けられた壁部に形成され、各壁部の間には、隔離空間の空気層が高速伝送における干渉の低下を図ることとなる。
【００１５】
本発明において、上段側ソケットと下段側ソケットのそれぞれの端子の接続部の下方に向く部分同士の間隔は、両ソケットの後端同士の間隔に等しいことが好ましい。電気的には接続部同士の間隔は大きい程好ましいので、ソケット後端子同士の間隔を最大限に利用できる。
【００１６】
本発明において、ソケット組立体は、ソケットが二段に設けられ、両ソケットの端子の接続部はコネクタの対応壁部の外側面に設けられた支持部で支持しているようにするならば、両接続部同士の間隔を大きくすることができる。
【００１７】
本発明において、各ソケットの端子の接続部をそれぞれ支持するコネクタの支持部同士間に金属板が配設されていることとするならば、両端子の接続部同士間でのシールド効果を得る。
【００１８】
又、本発明において、各支持部に対応して設けられたコネクタの壁部は、端子配列方向端部にて、壁部同士が側壁部で連結されていることとするならば、上記壁部の補強がなされる。
【００１９】
本発明において、コネクタは、下方に突出する係合用柱状部を有し、該係合用柱状部が回路基板側コネクタの対応凹部に適合していることとするならば、上記回路基板との接続の際の互の位置出しが容易に行われる。
【発明の効果】
【００２０】
本発明は、以上のごとく、カード挿入方向での長さが小さい順に取付対象たる回路基板から遠ざかるようにカードを重ねて配した組立体としたので、ソケットの後端側にカードの長さの差に起因して形成される段状領域を利用して端子の接続部を配置でき、その分だけ上記カード挿入方向での組立体の小型化が図れ、又、端子の接続部も最短距離の長さとすることができ、高速伝送における電気特性が改善される。
【発明を実施するための最良の形態】
【００２１】
以下、添付図面にもとづき、本発明の実施の形態を説明する。
＜第一実施形態＞
図１には、本発明の第一実施形態として、本発明のカード用ソケット組立体の基本的形態が従来のカード用ソケット組立体と比較しつつ示されている。図１（Ａ）は本実施形態、図１（Ｂ）は従来のソケット組立体であって、共に二段をなしてカード挿入方向(図にて横方向）での長さの異なるソケットが回路基板上に重ねられている。カードが挿入されるこれらのソケットの開口端側（図にて右側）は図示が省略されて、挿入方向先端側（図にて左側）のみが示されている。
【００２２】
図１（Ａ）において、本実施形態のカード用ソケット組立体は、回路基板Ｐの上に配された下段側の短いソケット１とその上に配された上段側の長いソケット２とを一体的に有している。両ソケット１,２は、図示が省略された開口端がカード挿入方向で同一位置にあり、両ソケット１,２の同方向での長さの差Ａが左端側にて表われている。両ソケット１,２は、図示されていない金具等により一体化されている。なお、下段側の短いソケット１は、例えばエクスプレスカード、上段側の長いソケット２はＰＣカードの挿入のために用いられる。
【００２３】
下段側のソケット１の左端面１Ａと上段側のソケット２の左端部下面２Ａとにより段状領域３が形成されており、この段状領域３の範囲内に下段側ソケット１の端子の接続部４が収められている。該接続部４は下段側ソケット１の左端面から左方に突出した後に下方に向け屈曲されて逆Ｌ字状をなしている。上段側ソケット２の左端面からも端子の接続部５が同様に逆Ｌ字状をなして延出している。これらの二つのソケットから延出する端子の接続部４,５は共に下方に延びて、回路基板Ｐの所定回路部と接続されている。又、二つのソケットから延出する端子の接続部４、５の下方に延びる部分同士の間隔Ｂは、図示の例では、上記二つのソケットの長さの差Ａとほぼ等しくなっている。二つの接続部４,５同士は、電気的にはそれらの間隔Ｂが大きい程好ましいが、ソケット組立体の小型化のためには小さい方が好ましい。そこで、両条件を考慮して、接続部４,５の間隔Ｂをソケットの長さの差Ａと等しくして、小型化を阻害しない範囲で間隔Ｂを最大限大きく確保している。
【００２４】
このような図１（Ａ）の実施形態のソケット組立体を、同じソケット１,２を上下逆に配することとしている図１（Ｂ）に図示の従来のソケット組立体と比較すると、上記段状領域３の有効利用している本実施形態のものは明らかにカード挿入方向寸法が小さく、ソケット組立体の小型化に貢献している。又、上段側ソケット２の端子の接続部５の長さも短くなっている。図１（Ｂ）の従来のソケット組立体では、二つのソケットの端子の接続部の下方に延びる部分同士の間隔は、図１（Ａ）の本実施形態のそれよりも狭い。したがって、本実施形態でも、仮りに同じように狭くするならば、回し（Ａ）で二点鎖線で示されるごとく、ソケット組立体はカード挿入方向でさらに短くなる。
換言するならば、図１（Ａ）で、実線示される接続部同士の間隔Ｂを広げてもなお、従来のものよりも組立体として、カード挿入方向での小型化を図れるということになる。
＜第二実施形態＞
本発明のより具体的なソケット組立体を第二実施形態として示す。第一実施形態では、ソケットの端子の接続部は直接回路基板に接続されていたが、本実施形態では端子の接続部は、ソケットに取付けられるコネクタそして回路基板側のコネクタを介して接続される。
【００２５】
図２は、本実施形態のソケット組立体の断面図であり、図３は、図２の組立体の各ソケット、コネクタ等を分離状態で示す斜視図、図４は図３の状態の各ソケット、コネクタ等をそれらのカード挿入方向で前部のみについて示す断面図である。なお、カード挿入方向を前方とし抜出方向を後方とする。
【００２６】
図３に見られるように、ソケット組立体は、上段側ソケット１０、下段側ソケット２０そしてソケット側コネクタ３０を有し、回路基板Ｐに取りつけられている基板側コネクタ５０に上記ソケット側３０が嵌合するようになっている。
【００２７】
上段側ソケット１０は、金属板を抜き加工そして屈曲加工して平角筒状をなし、後端側(図にて右端側）に開口部１１が形成され、前端側に絶縁材の閉塞部材１２を有している（図２参照）。上記ソケット１０は、開口部１１から平面形状が矩形状をなすＰＣカードＣ１を受入れる空間を内部に形成している。このソケット１０の上記閉塞部材１２には、複数の端子１３が列をなして植設されていて、各端子１３は一端側の接触部１３Ａがソケット内部で閉塞部材１２から後方へ突出し、他端側の接続部１３Ｂが該閉塞部材１２から前方に突出した後に下方に向け屈曲されて形成されている。上記接触部１３Ａは、ソケット内部へ挿入される上記ＰＣカードＣ１の挿入方向前端面Ｃ１Ａに形成された接続孔(図示せず）に進入するようになっている。
【００２８】
上記ソケット１０は、側端部に上記ＰＣカードＣ１を排出するための機構１４そしてこの機構１４を駆動するとためのプッシュロッド１５が備えられている。これらの機構１４そしてプッシュロッド１５は、本発明の要旨とするところではないので、詳述は省略する。
【００２９】
上記ソケット１０は、ＰＣカードＣ１を受け入れそして収容するためのケースとして、さらには金属板を加工して作られているのでシールド部材として機能する。このソケット１０の前端面には閉塞部材１２を覆うカバー部１０Ａが形成され、前端近傍の両側部には接片１０Ｂが垂下して設けられている。
【００３０】
端子１３は、図２そして図４にて紙面に直角な方向に多数配列されているが、図示の例では、端子１３は二つ毎に接触部１３Ａが上下をなして位置し、接続部１３Ｂは上記配列の方向で互にずれている。かくして、多数の端子１３は接触部１３Ａは二段に配列され、接続部１３Ｂは一列をなしている。したがって、配列方向での接触部１３Ａ同士間の間隔は、接続部１３Ｂ同士間の間隔の２倍となっている。
【００３１】
上記上段側ソケット１０の下側に位置する下段側ソケット２０は上段側ソケット１０と同様に、金属板を抜き加工そして屈曲加工して平角筒状をなし、後端側に開口部２１が形成され前端側に絶縁材の閉塞部材２２を有している（図２参照）。上記ソケット２０は、開口部２１からエクスプレスカードＣ２を受入れる空間を内部に形成している。このエクスプレスカードＣ２は、図２に見られるごとく、挿入方向で上記ＰＣカードＣ１よりも短く、又、挿入方向先端側が幅狭で中間部から後部は幅が段状に拡がり、上記ＰＣカードＣ１と同じ幅となっており、したがって、これに対応して、上記ソケット２０内の空間も、このエクスプレスカードＣ２に適合して、挿入方向においてソケット１０よりも短かく、段状をなして形成されている。上記カードの挿入方向先端側が幅狭となっているこのソケット２０の上記閉塞部材２２には、複数の端子２３が列をなして植設されていて、各端子２３は一端側の接触部２３Ａがソケット内部で閉塞部材２２から右方向へ突出し、他端側の接続部２３Ｂが閉塞部材２２から左方に突出した後に下方に向け屈曲されて形成されている。上記接触部２３Ａは、その屈曲された先端部分で、ソケット内部へ挿入される上記エクスプレスカードＣ２（図３参照）の挿入方向先端部の上面Ｃ２Ａに没入して形成された接続部（図示せず）に摺接するようになっている。
【００３２】
上記ソケット２０は、幅広の部分の側端部に上記ソケット１０の場合と同様に、上記挿入状態にあるエクスプレスカードＣ２を排出するための機構２４そしてこの機構２４を駆初するためのプッシュロッド２５が備えられている。これらの機構２４そしてプッシュロッド２５は、本発明の要旨とするところにないので、詳述は省略する。
【００３３】
上記ソケット２０は、エクスプレスカードＣ２を受け入れそして収容するためのケースとして、さらには、金属板を加工して作られているのでシールド部材として機能する。        
【００３４】
上記ソケット１０の端子１３そしてソケット２０の端子２３を支持するコネクタ３０は、絶縁材料から作られており、図２からも判るように、カード挿入方向で両ソケット１０,２０の後端の開口部２１を揃えて配置したときに、ソケット１０の前端側下面そしてソケット２０の前端面で形成される段状領域（空間）に該コネクタ３０の大部分が収容されるように配置されている。
【００３５】
該コネクタ３０は、図４によく見られるように、断面が略Ｈ字状をなし、平行に上下に延びる前端壁部３１と後端壁部３２には、ソケット１０の端子１３そしてソケット２０の端子２３のそれぞれの下方に屈曲して延びる接続部１３Ｂそして接続部２３Ｂが圧入されて支持される貫通溝状の支持部３３そして支持部３４がそれぞれ形成されている。これらの溝状の支持部３３,３４は上端開口から下方に向けて幅が次第に狭くなっていて、上方から端子１３Ｂ,２３Ｂが挿入され易すく、かつ挿入が進むとしっかりと支持されるようになっている。上記支持部３３,３４は、後述する回路基板側コネクタの受入部との嵌合に合わせて下端側で前後方向にそれぞれ開放されていて、端子１３,２３の接続部１３Ｂ,２３Ｂが挿入されたとき、該接続部１３Ｂ,２３Ｂの下端部が前後方向にそれぞれ露呈されて、この露呈部分で後述の回路基板側コネクタの端子と接触できるようになっている。
【００３６】
上記前端壁部３１と後端壁部３２は、上記支持部３３と支持部３４との間隔がソケット１０とソケット２０のカード挿入方向における長さの差となっている。そして、上記前端壁部３１と後端壁部３２は、両者の間に空間、すなわち空気層３５を形成し、さらに図４で紙面に直角な方向での端部で側壁部３６（図３参照）により連結されていて、下方に開口する箱状をなしている。上記前端壁部３１は、溝状の支持部３３の左側で上方に突出した突壁部３７を有し、この突壁部３７の上面には、ソケット１０のカバー部１０Ａの下縁を受入れる溝部３７Ａが形成されている。なお、側壁部の下方は一部を切り欠いてグランド端子等の通路としてもよい。
【００３７】
又、上壁の上面には、図３に見られるように、支柱部３８,３９が設けられ、ソケット１０の対応孔（図示されず）そしてソケット２０の対応孔２６と嵌合して、コネクタ２０とこれらのソケット１０,２０がしっかりと結合するようになっている。
【００３８】
一方、上記両側の側壁部３６の下面側には、図６にも見られるように、角筒状の係合用柱状部４０が設けられている。これらは、後述の回路基板側のコネクタ５０の対応せる凹部５５に係合し、コネクタ３０のコネクタ５０への嵌合位置を容易に定められるようになっていると共にナットで回路基板に固定する固定部を兼ねている。
【００３９】
上記コネクタ３０が嵌合する回路基板コネクタ５０は、脚部５１で回路基板Ｐの対応孔Ｐ１（図２,図４参照）にて位置決めされるハウジング５２の内部に上方に開口せる凹所としての受入部５３が形成され、その両側の内壁に形成された溝部に断面が略Ｓ字状となして弾性を有する端子５４が設けられ、一端側の接触部５４Ａが受入部５３内に若干突出し、他端側の接触部５４Ｂがハウジング５２の底面へＬ字状に屈曲されて露呈している。上記ハウジング５２には、平面形状において、上記コネクタ３０の係合用柱状部４０を受入れる凹部５５が両側隅部に切欠き状に形成されている。
【００４０】
上記回路基板側コネクタ５０は、ハウジングの両側の壁面にグランド端子５６が設けられている。該グランド端子５６はＬ字状をなし、上記ハウジングの壁面に沿う接触面５６Ａと横方向に延びる脚状の取付部５６Ｂとを有している。取付部５６Ｂは回路基板Ｐの所定の接地回路部（図示せず）に取付けられ、上記接触面５６Ａはソケット１０の接片１０Ｂが図５（Ａ）の位置から図５（Ｂ）の位置へ降下して接触する。またソケット１０とソケット２０を金具により互に結合して、ソケット１０を介してソケット２０を上記接片１０Ｂそしてグランド端子５６を経て接地してもよい。
【００４１】
このように構成される本実施形態装置では、ソケット１０とソケット２０は、コネクタ３０に組込まれると共に図示しない金具によって結合される。両ソケット１０,２０のこの金具による結合は、コネクタ３０への組込みの前であっても後であってもよい。
【００４２】
ソケット１０とソケット２０は、カードの挿入方向で長さに差があるために、これらのソケット１０,２０が結合されるコネクタ３０は、両ソケット１０,２０で形成される段状領域に大部分が収められてしまう。これは、ソケット組立体のカード挿入方向の寸法を小さく抑えることができるのみならず、両ソケット１０,２０の端子の伝送長さを短くすることができることを意味する。両ソケット１０,２０がコネクタ３０に取りつけられて成るソケット組立体は、上記回路基板に取りつけられた回路基板側コネクタ５０に上記コネクタ３０が嵌合することにより、各ソケット１０，２０にカードが挿入された際、これらのカードが回路基板と電気的に接続されるようになる。また、段状領域の後方には、ソケット１０とソケット２０の幅の差による空間が生じるので、回路基板に実装する際には他の電子部品を配してもよい。
【００４３】
＜第三実施形態＞
図７に示される本実施形態では、コネクタ３０において、両ソケット１０，２０の端子１３，２３の接続部１３Ｂ,２３Ｂ間にシールド板６０が配されている点に特徴がある。
【００４４】
図７（Ｂ）に示されるコネクタ３０のハウジングに右端壁部３２には、壁厚方向の略中央位置に、図７（Ａ）に示される金属板で作られたシールド板６０を挿入するための溝４１が上下に貫通して形成されており、上端側では、該溝４１は後方に開放されている。
【００４５】
この実施形態では、ソケット２０の多数の端子２３は、すべてが信号端子としては用いられず、そのうち特定のいくつかがグランド端子として用いられるようになっている。シールド板６０は、上端縁にて上記特定のグランド端子に対応する位置に、弾性接触部６１が屈曲形成されている（図の例では特定の四つの端子に対応して形成されている）。さらに、上記シールド板６０の下端縁側には、複数の長孔部６２が形成され、該長孔部６２はその長手方向中央部でシールド板６０の下端縁に開放されていて、弾性腕部６３を形成している。この弾性腕部６３の下縁には下方に突出する接触部６３Ａが設けられている。
【００４６】
このようなシールド板６０をコネクタ３０の右端壁部３２に形成された溝部４１へ上方から挿入すると,図７（Ｂ）に見られるように、該シールド板６０の弾性接触部６１がソケット２０の上記グランド端子２３と接触し、かつ、接触部６３Ａが上記コネクタ３０のハウジングから下方に突出して回路基板のグランド回路部(図示なし）と接触するようになる。
【００４７】
かくして、両ソケット１０,２０の端子１３,２３がシールド板により互にシールドされ、ソケット２０のグランド端子２３が回路基板へ接地されることとなる。
【００４８】
なお、シールド板を配する位置は空気層中であってもよいが、本実施形態では後端壁部３２内にシールド板６０を配したので空気層３５の空間を広いままとすることができる。
【００４９】
本発明は、図示のごとくの二段のソケットに限定されずに、それ以上の複数のソケットを有している場合にも適用できる。その場合でも、最下段にカード挿入方向の長さの一番短いソケットを配し、上段に向け順に長いカードを配することとなる。
【図面の簡単な説明】
【００５０】
【図１】本発明の基本的形態を第一実施形態として示し、（Ａ）は本実施形態、（Ｂ）はこれと比較して従来のソケット組立体をそれぞれ示す図である。
【図２】本発明の第二実施形態を示す、ソケット組立体の組立体後の断面図である。
【図３】図２のソケット組立体の各部を、分離して示す、斜視図である。
【図４】図２の各部について、左端部を拡大して示す断面図である。
【図５】上段側ソケットの接片と回路基板コネクタのグランド端子との関係を示す斜視図で、（Ａ）は両者の接続前、（Ｂ）は接続後を示す。
【図６】上段側ソケットを下段側ソケットが取りつけられるコネクタの係合用柱状部と、回路基板側コネクタの凹部との関係を示す斜視図である。
【図７】本発明の第三実施形態を示し、（Ａ）はシールド板の斜視図、（Ｂ）はこのシールド板がコネクタに取りつけられ下段側ソケットのグランド端子と接触している様子を示す断面図である。
【符号の説明】
【００５１】
１  ソケット          ３０  コネクタ        
２  ソケット          ３１  前端壁部
３  段状領域          ３２  後端壁部
４  接続部            ３３  支持部
５  接続部            ３４  支持部
１０  ソケット        ３６  側壁部
１３  端子            ４０  係合用柱部
１３Ｂ  接続部        ５０  回路基板側コネクタ
２０  ソケット        ５５  凹部
２３  端子            ６０  金属板（シールド板）
２３Ｂ  接続部        Ｃ１（ＰＣ）カード
Ｃ２（エクスプレス）カード
【図１】
2006313666.tif 000003
【図２】
2006313666.tif 000004
【図３】
2006313666.tif 000005
【図４】
2006313666.tif 000006
【図５】
2006313666.tif 000007
【図６】
2006313666.tif 000008
【図７】
2006313666.tif 000009